(57)【要約】【課題】表示画面が小さくても、所望とする表示範囲を、即座に拡大表示させることで、視認性を一層向上させることができる携帯端末装置およびその表示方法を提供する。【解決手段】拡大処理部は、表示部の表示画面を、数字キーの配置に対応させてセグメントに区分けし、押下された数字キーと同じ位置関係にあるセグメントを表示範囲として、表示処理部に表示を指示することで、所望とする範囲を拡大させる。押下した数字キーが斜めの位置関係にあるときには、この数字キーが対応するセグメントを対角位置とした矩形領域を指定して、表示処理部に表示させるので、広い範囲を少ない数字キーの押下数で、即座に表示させることができる。【選択図】図１０
2008033899.tif 000002
【特許請求の範囲】
【請求項１】
画像データが表示される表示部と、
前記画像データを、指定された表示範囲に基づいて前記表示部に表示する表示処理部と、
前記表示部に表示する表示範囲を指定する操作キーと、
前記表示部に表示される画像データ全体の範囲を、前記操作キーの配置に対応させてセグメントとして区分けし、連続して押下された操作キーが斜めの位置関係にあるときには、この操作キーと対応するセグメントを対角位置とした矩形領域を表示範囲として指定して、前記表示処理部に拡大表示させる拡大処理部とを備えたことを特徴とする携帯端末装置。
【請求項２】
前記拡大処理部は、連続して押下された操作キーが、隣接する位置関係にあるときに、押下された操作キーに対応したセグメントを指定して、前記表示処理部へ表示するように指示をすることを特徴とする請求項１記載の携帯端末装置。
【請求項３】
前記拡大処理部は、表示範囲を決定したことを示す決定キーが押下されたことを契機に、それまで押下された操作キーに対応するセグメントを、前記表示処理部へ表示するように指示することを特徴とする請求項１または２記載の携帯端末装置。
【請求項４】
前記表示処理部は、前記拡大処理部により指定された表示範囲のアスペクト比を維持した状態で拡大表示することを特徴とする請求項１から３のいずれかの項に記載の携帯端末装置。
【請求項５】
放送局からのテレビ映像を電波で受信し、前記画像データとして出力する受像部を備えたことを特徴とする請求項１から４のいずれかの項に記載の携帯端末装置。
【請求項６】
監視カメラからの監視映像を受信し、前記画像データとして出力する映像受信部を備えたことを特徴とする請求項１から５のいずれかの項に記載の携帯端末装置。
【請求項７】
画像データが表示される表示部と、
前記表示部に表示する表示範囲を指定する操作キーとを有する携帯端末装置の表示制御方法であって、
前記表示部に表示される画像データ全体の範囲を、前記操作キーの配置に対応させてセグメントとして区分けするステップと、
前記操作キーが、押下されたことを検出するステップと、
連続して押下された操作キーが斜めの位置関係にあるときには、この操作キーと対応するセグメントを対角位置とした矩形領域を表示範囲として指定して、画像データを、前記表示部に表示するステップとを含むことを特徴とする携帯端末装置の表示制御方法。
【発明の詳細な説明】
【技術分野】
【０００１】
本発明は、表示する画像を拡大させて表示可能な携帯端末装置およびその表示制御方法に関する。
【背景技術】
【０００２】
携帯電話装置やＰＤＡ（Personal Digital Assistants）などの携帯端末装置は、持ち運びに便利であるため、常に持ち歩いて、必要なときに胸ポケットや鞄から取り出して使用される。
【０００３】
携帯電話装置だけでなくＰＤＡにおいても、テレビ放送を受信して視聴できるようになってきたので、電車やバスで移動しているときに、ニュースを見て最新の情報を入手したり、スポーツ中継を観戦したり、様々な楽しみ方ができる。
【０００４】
しかし、携帯電話装置やＰＤＡでは、デスクトップ型のパーソナルコンピュータや、家庭の居間に設置されるテレビ受像機などと比較して、携帯性を確保するために表示画面が、相当小さいものなので、広い範囲を映すスポーツ中継や、文字表示などは、人物を判別したり、文字を読んだりすることが困難である。
【０００５】
このように、表示画面が小さくても、テレビ放送を視聴するときの映像の視認性を向上させることができる従来の携帯端末装置として、特許文献１，２に記載されたものがある。特許文献１に記載された放送受信装置は、シャッターを押下することで縮小変換される前の原画像を記録し、記録された映像を方向キーでスクロールしながら表示するものである。
【０００６】
また、特許文献２に記載された動画表示装置は、動画像データの各フレーム画像間の差分データを計算して、大きく変化する場面をシーンの切り替わりとして検出し、その中で最も注目すべき位置および範囲を自動的に決定して、拡大表示するものである。また、拡大する領域の範囲を変更する際には、カーソルボタンなどを使用して変更する。
【０００７】
【特許文献１】特開２００４−２９７１６８号公報
【特許文献２】特開２００５−２９２６９１号公報
【発明の開示】
【発明が解決しようとする課題】
【０００８】
従来の携帯端末装置では、拡大表示する範囲を、方向キーで表示領域をスクロールしながら変更したり、予めカーソルボタンで範囲指定を決定したりしているので、所望とする表示範囲を即座に表示させることができない。
【０００９】
例えば、サッカーなどのスポーツ中継を視聴する場合では、所望する表示範囲に即座に切り替えられないと、大事なシーンを見逃してしまう可能性が高い。サッカーのテレビ放送では、ボールと共に移動する選手を中心に、広い範囲の映像が送られることがあるが、利用者によっては、ボールを敵ゴールへドリブルで運んでいる選手よりも、画面の片隅に位置する敵側ディフェンスの動きを、特に拡大して見たい場合や、ピッチの中心を、ドリブルで進む選手と共に、並行してサイドを走る選手を同時に拡大して見たい場合がある。
【００１０】
このような場合に、それらの選手達が含まれるように、表示範囲を方向キー（カーソルボタン）などで変更して拡大表示させていては、選手の移動や、シーンの移り変わりに間に合わず、大事なシーンを見逃すことになってしまう。
【００１１】
そこで本発明は、表示画面が小さくても、所望とする表示範囲を、即座に拡大表示させることで、視認性を一層向上させることができる携帯端末装置およびその表示方法を提供することを目的とする。
【課題を解決するための手段】
【００１２】
本発明の携帯端末装置は、画像データが表示される表示部と、前記画像データを、指定された表示範囲に基づいて前記表示部に表示する表示処理部と、前記表示部に表示する表示範囲を指定する操作キーと、前記表示部に表示される画像データ全体の範囲を、前記操作キーの配置に対応させてセグメントとして区分けし、連続して押下された操作キーが斜めの位置関係にあるときには、この操作キーと対応するセグメントを対角位置とした矩形領域を表示範囲として指定して、前記表示処理部に拡大表示させる拡大処理部とを備えたことを特徴とする。
【００１３】
拡大処理部は、表示部に表示される画像データ全体の範囲を、操作キーの位置に対応させてセグメントとして区分けしている。画像データ全体を区分けするときに、操作キーの配置に対応させると、拡大したいセグメントの位置と、押下する操作キーとの位置との関係が同じになる。従って、利用者は手元を視認することなく、感覚的にキー操作を行うことができる。特に、複数のセグメントを拡大表示させたいときに、２回目以降に押下される操作キーの位置が、１回目に押下された操作キーの位置から感覚的にわかるので、素早い押下を行うことができる。拡大処理部は、連続して押下された操作キーが斜めの位置関係にあるときには、この操作キーと対応するセグメントを対角位置とした矩形領域を表示範囲として表示処理部に指定する。表示処理部は、この指定された表示範囲に基づいて画像データを表示部に表示する。従って、広い範囲を少ない操作キーの押下数で、即座に表示させることができる。
【００１４】
前記拡大処理部は、連続して押下された操作キーが、隣接する位置関係にあるときに、押下された操作キーに対応したセグメントを指定して、前記表示処理部へ表示するように指示をするのが望ましい。隣接する位置関係にある操作キーが押下されたときに、その操作キーに対応するセグメントを拡大表示することで、拡大表示した画面としては隣接したセグメントを表示することになる。従って、連続性が維持された画面とすることができる。
【００１５】
前記拡大処理部は、表示範囲を決定したことを示す決定キーが押下されたことを契機に、それまで押下された操作キーに対応するセグメントを、前記表示処理部へ表示するように指示するのが望ましい。拡大表示するセグメントを、１以上の操作キーの押下で指定するときに、決定キーの押下を契機とすることで、拡大処理部は操作終了を決定キーの押下により認識することができるので、拡大表示画面への切り替えを迅速に行うことができる。
【００１６】
前記表示処理部は、前記拡大処理部により指定された表示範囲のアスペクト比を維持した状態で拡大表示することが望ましい。１以上のセグメントを拡大表示するときに、表示部の表示可能な範囲全体に表示させることも可能であるが、指定された表示範囲のアスペクト比を維持した状態で表示処理部が拡大表示することで、拡大表示された画面の不自然さを排除することができる。
【００１７】
本発明の携帯端末装置が、放送局からのテレビ映像を電波で受信し、前記画像データとして出力する受像部を備えていると、所望とする表示範囲のテレビ映像を、即座に拡大表示させことができる。従って、スポーツ観戦のようにシーンの切り替わりが早いテレビ映像でも見逃してしまうことがない。
【００１８】
また、本発明の携帯端末装置が、監視カメラからの監視映像を受信し、前記画像データとして出力する映像受信部を備えていると、所望とする表示範囲の監視映像を、即座に拡大表示させことができる。従って、広角の監視カメラで被監視者が小さく撮像されていても、拡大することで被監視者の詳しい状況などを把握することができる。
【００１９】
また、本発明の携帯端末装置の表示制御方法は、画像データが表示される表示部と、前記表示部に表示する表示範囲を指定する操作キーとを有する携帯端末装置の表示制御方法であって、前記表示部に表示される画像データ全体の範囲を、前記操作キーの配置に対応させてセグメントとして区分けするステップと、前記操作キーが、押下されたことを検出するステップと、連続して押下された操作キーが斜めの位置関係にあるときには、この操作キーと対応するセグメントを対角位置とした矩形領域を表示範囲として指定して、画像データを、前記表示部に表示するステップとを含むことを特徴とする。
【発明の効果】
【００２０】
本発明は、表示させたい範囲に配置が対応した斜めの位置関係にある操作キーを連続して押下することで、操作キーと対応するセグメントを対角位置とした矩形領域を拡大表示の範囲として指定することができるので、表示画面が小さくても、所望とする表示範囲を、即座に表示させることができる。よって、視認性を一層向上させることができる。
【発明を実施するための最良の形態】
【００２１】
（実施の形態１）
本発明の実施の形態１に係る携帯端末装置を、携帯電話装置を例に、図面に基づいて説明する。まずは、本実施の形態１に係る携帯電話装置の構成を、図１および図２に基づいて説明する。図１は、本発明の実施の形態１に係る携帯電話装置を示す外観図である。図２は、図１に示す携帯電話装置の構成を示す図である。
【００２２】
図１に示すように、携帯電話装置１は、通話や、通信アクセスや、デジタルカメラでの撮像や、テレビ視聴が受信可能な折り畳み式の携帯端末装置である。利用者は、開いた状態で、通話やテレビ視聴を行う。
【００２３】
図２に示すように、携帯電話装置１は、テレビチューナ部２と、無線部３と、音声処理部４と、表示処理部５と、キー処理部６と、拡大処理部７と、制御部８とを備えている。
【００２４】
テレビチューナ部２は、放送局からの電波の受信に使用されるテレビ受像用アンテナ２１が接続され、制御部８からの制御により選択されたテレビ映像を、映像データとして制御部８へ出力する。無線部３は、通話やインターネットアクセスのパケットの送受信に使用される通信用アンテナ３１が接続され、無線局からの電波を復調して受信データとして制御部８へ出力したり、制御部８からの送信データを変調して無線局へ出力したりする機能を備えている。
【００２５】
音声処理部４は、マイク部４１を介して利用者の音声信号を音声入力データへ変換して制御部８へ出力したり、制御部８からの音声出力データを音声信号へ変換してスピーカ部４２へ出力したりする機能を備えている。
【００２６】
表示処理部５は、制御部８からの制御によりメモリ部５１に格納された画像データを表示部５２に表示させる機能を備えている。表示部５２は、表示処理部５の画像データに基づいて表示するもので、本実施の形態１では、横２４０ドット、縦３２０ドットのカラー表示可能な液晶表示パネルを使用している。
【００２７】
キー処理部６は、操作キー９が利用者によって押下されると、操作キー９に対応する操作キーデータを制御部８へ通知する機能を備えている。ここで、操作キー９について、図１に基づいて詳細に説明する。
【００２８】
図１に示すように、操作キー９は、数字キー９１（「０」キー９１０〜「９」キー９１９）と、記号キー９２（「＊」キー９２０，「＃」キー９２１）と、機能キー９３（クリアキー９３０，オフフックキー９３１，オンフックキー９３２，十字キー９３３，決定キー９３４）などを備えている。
【００２９】
拡大処理部７は、利用者がテレビ視聴しているときに、操作キー９を押下することで、映像データの拡大処理を行うアプリケーションソフトが動作することで機能するものである。制御部８は、携帯電話装置１の通話機能、テレビ視聴機能、デジタルカメラ機能、インターネット機能などを、統括制御を行うものである。この制御部８とテレビチューナ部２とで、放送局からのテレビ映像を電波で受信し、画像データとして出力する受像部として機能する。
【００３０】
以上のように構成される本発明の実施の形態１に係る携帯電話装置１の表示制御方法について、図面に基づいて説明する。図３（Ａ）から同図（Ｄ）は、携帯電話装置１を操作してテレビ放送を表示させる手順を示す図である。図４は、表示部５２に表示されるテレビ映像の表示範囲を示す図である。図５は、テレビ映像の表示範囲をセグメントに区分した状態を示す図である。図６および図７は、携帯電話装置の動作を示すフローチャートである。図８は、拡大処理部が表示処理部５に対して指定する始点座標、横幅、縦幅を示すテーブルの図である。図９および図１０は、拡大表示の一例を示す図である。
【００３１】
利用者は、図３（Ａ）に示す待ち受け状態にある携帯電話装置１で、テレビ視聴したいときは、まずはメニューを表示部５２に表示させために決定キー９３４を押下する。携帯電話装置１が待ち受け状態にあるときの決定キー９３４の押下により、キー処理部６から決定キー９３４に対応する操作キーデータが制御部８へ通知される。そして、制御部８がメニューの画像データをメモリ部５１に格納して表示処理部５へ表示を指示することで、メニューの表示が行われる。このように決定キー９３４は、待ち受け状態ではメニューを表示させるためのキーとして使用されている。
【００３２】
図３（Ｂ）に示すように、アイコンが縦列および横列に配列されたメニューが表示されると利用者は、十字キー９３３の上下左右のいずれかの箇所を押下して、メニューの中からアプリケーションソフトの起動を示す「アプリ」を選択し、決定キー９３４を押下することで操作の決定を行う。
【００３３】
図３（Ｃ）に示すように、利用者が「アプリ」を選択すると、表示部５２にはアプリケーションソフトの一覧が表示される。そして十字キー９３３の上部または下部を押下することで、アプリケーションソフトの一覧の中からテレビ視聴を選択し、決定キー９３４を押下する。
【００３４】
図３（Ｄ）に示すように、これらの操作により、制御部８が、テレビチューナ部２からの映像データをフレームごとにメモリ部５１に画像データとして格納して、表示処理部５を介して表示部５２に表示させると共に、テレビチューナ部２からの音声データを、音声処理部４を介してスピーカ部４２から音声を出力することで、利用者はテレビ映像を視聴することができる。
【００３５】
図４に示すように、表示処理部５は、テレビチューナ部２からの映像データを、表示部５２の表示可能な範囲である横２４０ドット×縦３２０ドットのうち、横２４０ドット×縦１３５ドットをテレビ映像の表示範囲として表示部５２に表示することで、アスペクト比１６：９のテレビ放送を表示している。
【００３６】
次に、表示処理部５が行う表示拡大処理について、図５から図１０に基づいて詳細に説明する。
【００３７】
図５に示すように、拡大処理部７は、このテレビ映像の表示範囲を、横８０ドット×縦４５ドットを１セグメントとして、縦３列×横３列の９セグメント（セグメントＡからセグメントＩ）に区分し、この１セグメントを表示処理単位としている。この区分された９セグメントは、１セグメントごとに数字キー９１（「０」キー９１０〜「９」キー９１９）に対応している。つまり、この対応関係は、セグメントＡは「１」キー９１１、セグメントＢは「２」キー９１２というように、それぞれが対応するセグメントと数字キー９１とは、同じ位置関係である。そして、拡大処理部７は、テレビ映像の表示範囲の左上を基準座標（０，０）として表示処理部５に表示範囲を指定している。
【００３８】
利用者が表示部５２に表示されるテレビ映像を見ながら部分的に拡大したいと思ったら、拡大したいセグメントの位置に対応する数字キー９１を押下する。図６に示すように、制御部８は、キー処理部６から通知された操作キーデータを、拡大処理部７へ第１の操作キーとして通知する（Ｓ１０）。
【００３９】
拡大処理部７は、通知された操作キーデータを第１の操作キーとして記憶する（Ｓ２０）。通知された第１の操作キーが、数字キー９１の「１」キー９１１から「９」キー９１９以外の無効キーであれば、第１の操作キー待ちとなる（Ｓ３０）。第１の操作キーが、「１」キー９１１から「９」キー９１９であれば、第２の操作キー待ちとなる。
【００４０】
制御部８から第２の操作キーが押下された旨の通知があると（Ｓ４０）、拡大処理部７は、通知された第２の操作キーを記憶する（Ｓ５０）。押下された第２の操作キーが、「１」キー９１１から「９」キー９１９のうち第１の操作キーと隣接する数字キー９１か、クリアキー９３０か、または決定キー９３４か否かを判断する。これらのキーとは異なる無効キーであると判断された場合には第２の操作キー待ちとなる（Ｓ６０）。第２の操作キーがクリアキー９３０である場合には、第１の操作キーの入力待ち状態へ遷移する（Ｓ７０）。
【００４１】
第２の操作キーが、決定キー９３４、または第１の操作キーと同一であるか否かを判断する（Ｓ８０）。その結果、決定キー９３４、または第１の操作キーと同一であると判断された場合には、拡大処理部７は、始点座標、横幅、縦幅を指定して表示処理部５へ通知する（Ｓ９０）。表示処理部５は、指定された範囲を拡大して表示部５２に表示する（Ｓ１００）。
【００４２】
Ｓ８０にて、第２の操作キーが、決定キー９３４、または第１の操作キーと同一でない場合には、第３の操作キー待ちとなる。
【００４３】
図７に示すように、制御部８から第３の操作キーが押下された通知があると（Ｓ１１０）、拡大処理部７は、通知された第３の操作キーを記憶する（Ｓ１２０）。押下された第３の操作キーが、決定キー９３４か、クリアキー９３０か、または第２の操作キーと同一の数字キー９１か否かを判断する。これらのキーとは異なる無効キーであると判断された場合には第３の操作キー待ちとなる（Ｓ１３０）。第３の操作キーがクリアキー９３０である場合には、第１の操作キーの入力待ち状態へ遷移する（Ｓ１４０）。
【００４４】
第３の操作キーが、決定キー９３４か、または第２の操作キーと同一の数字キー９１であると判断された場合には、拡大処理部７は、始点座標、横幅、縦幅を指定して表示処理部５へ通知する（Ｓ１５０）。表示処理部５は、指定された範囲を拡大して表示部５２に表示する（Ｓ１６０）。
【００４５】
拡大処理部７は、表示処理部５に対して指定する始点座標、横幅、縦幅を、図８に示すテーブルに基づいて決定する。図８に示すテーブルは、押下された第１の操作キー、第２の操作キー、第３の操作キーのそれぞれの内容に、始点座標、横幅、縦幅を対応させたものである。
【００４６】
例えば、第１の操作キーが、「１」キー９１１である場合には、第２の操作キーとして、隣接する数字キー９１である「２」キー９１２、「４」キー９１４、「５」キー９１５と、第１の操作キーと同じ「１」キー９１１と、クリアキー９３０と、決定キー９３４以外は、無効キーとする。第２の操作キーとして、「２」キー９１２、「４」キー９１４、「５」キー９１５のいずれかが押下された場合には、第３の操作キーとして、第２の操作キーと同一の数字キー９１、クリアキー９３０、または決定キー９３４以外は、無効キーとする。
【００４７】
例えば、第１の操作キーとして「１」キー９１１を押下し、第２の操作キーとして「１」キー、または決定キー９３４を押下した場合、セグメントＡのみを拡大表示するよう拡大処理部７は、表示処理部５に指示する。従って、拡大処理部７は、始点座標（０，０）、横幅８０ドット、縦幅４５ドットを指定する。
【００４８】
また、第１の操作キーとして「１」キー９１１を押下し、第２の操作キーとして「２」キー９１２を押下し、第３の操作キーとして、「２」キー９１２、または決定キー９３４を押下した場合には、セグメントＡおよびセグメントＢを拡大表示するよう拡大処理部７は表示処理部５に指示する。従って、拡大処理部７は、始点座標（０，０）、横幅１６０ドット、縦幅４５ドットを指定する。
【００４９】
このように、１回のキー操作のときは１つのセグメント、２回のキー操作のときはセグメントが組み合わされて拡大表示される。従って、表示させたい範囲に対応する数字キー９１を押下していくだけで、数字キー９１に対応したセグメントを拡大表示の範囲として指定することができる。従って、表示画面が小さくても、所望とする表示範囲を、即座に表示させることができるので、視認性を一層向上させることができる。
【００５０】
また、拡大したいセグメントを決定する際に、決定キー９３４あるいはセグメントを指定した最後の数字キー９１と同一の数字キー９１を押下したことを契機に、拡大処理部７は表示処理部５へ表示するように指示するので、拡大させたい表示範囲の決定を即座に拡大処理部７に認識させることができる。従って、拡大表示画面への切り替えを迅速に行うことができる。更に、拡大させたい表示範囲の決定を、セグメントを指定した最後の数字キー９１と同一の数字キー９１の押下とすることで、利用者は、セグメントを指定した最後の数字キー９１の押下から指の移動なしに表示範囲の決定を行うことができるので、素早い操作が可能である。従って、スポーツ観戦のようにシーンの切り替わりが早いテレビ映像でも、拡大して見たいシーンに対応して拡大表示させることが可能である。本実施の形態１では、拡大させたい表示範囲を、決定キー９３４あるいはセグメントを指定した最後の数字キー９１と同一の数字キー９１を押下したことで決定しているが、素早い表示を必要としない場合には、拡大させたい表示範囲の決定を、第１の操作キーの押下に引き続く第２の操作キーの押下、または第２の操作キーの押下に引き続く第３の操作キーの押下が、所定時間内に検出されないことを契機とするようにしてもよい。
【００５１】
２つのセグメントを拡大表示させたときの表示部５２の状態を、図９に基づいて説明する。例えば、利用者が、図９に示すようなサッカー観戦をしているときに、ゴール前でボールを追う選手達を映す画面全体よりゴールキーパだけを注視したいときには、セグメントＤとセグメントＧを拡大表示するように操作する。つまり、「４」キー９１４および「７」キー９１７を、第１の操作キーと第２の操作キーとして押下する。このときの順序はいずれでもよい。そして、最後に決定キー９３４を押下するか、第２の操作キーと同一の数字キー９１を押下することで、拡大処理部７は、表示処理部５に始点座標（０，４６）、横幅８０ドット、縦幅９０ドットを指定する。この指定により、上下２つの連続したセグメント（セグメントＤ，Ｇ）を拡大した画面となる。この場合、セグメントＤとセグメントＧとを合わせた範囲のアスペクト比は、８：９となりテレビ映像の表示可能な範囲の右側部分は表示されない状態となるが、拡大処理部７により指定された表示範囲のアスペクト比を維持した状態で拡大表示することで、拡大表示された画面の不自然さを排除している。
【００５２】
また、図１０では、ボールを追う選手達を注視したいときには、４つのセグメント（セグメントＥ，Ｆ，Ｈ，Ｉ）の拡大表示が必要となる。この場合には、「５」キー９１５および「９」キー９１９を、第１の操作キーと第２の操作キーとして押下する。このときの順序はいずれでもよい。そして、最後に決定キー９３４を押下するか、第２の操作キーと同一の数字キー９１を押下することで、拡大処理部７は、表示処理部５に始点座標（８１，４６）、横幅１６０ドット、縦幅９０ドットを指定する。この指定により、上下左右４つの連続したセグメント（セグメントＥ，Ｆ，Ｈ，Ｉ）を拡大した画面となる。この場合、セグメントＥ，Ｆ，Ｈ，Ｉを合わせた範囲のアスペクト比は、１６：９となりテレビ映像の表示可能な範囲のアスペクト比と同じとなる。従って、テレビ映像が表示可能な範囲全体に拡大して表示される。
【００５３】
このように、連続して押下された数字キー９１が斜めの位置関係にあるときには、拡大処理部７は、この数字キー９１が対応するセグメントを対角位置とした矩形領域を指定して、表示処理部５に表示させるので、広い範囲を少ない数字キー９１の押下数で、即座に表示させることができる。
【００５４】
本実施の形態１では、テレビ映像を拡大表示する携帯端末装置を、携帯電話装置１としているため、押下された数字キーと同じ位置関係にある横３列×縦３列に区分けされたセグメントをそれぞれ指定することが可能である。しかし、操作キーの配列がマトリックス状にないＰＤＡであっても、それぞれのセグメントに任意の操作キーをそれぞれ対応させることで、対応関係が直感的に認識しづらいが、セグメントを個々に指定することが可能である。
【００５５】
また、本実施の形態１では、セグメントの区分を横３列×縦３列としているが、横３列×縦４列し、数字キー９１の「１」キー９１１から「９」キー９１９に、「＊」キー９２０、「０」キー９１０、および「＃」キー９２１まで含めることで、それぞれのセグメントに対応させることが可能である。その場合には、例えば、「１」キー９１１と「８」キー９１８とを第１の操作キーおよび第２の操作キーとして押下することで、「１」キー９１１と「８」キー９１８とが対応するセグメントを対角位置とした６つのセグメントを拡大表示させるようにしてもよい。
【００５６】
（実施の形態２）
次に、本発明の実施の形態２に係る携帯端末装置を、図面に基づいて説明する。図１１は、本発明の実施の形態２に係る携帯電話装置を用いて監視カメラからの映像を受信する構成を説明するための図である。なお、本実施の形態２においては、実施の形態１に係る携帯電話装置１を使用することができるので、携帯電話装置１の詳細な説明は省略する。
【００５７】
図１１に示すように、携帯電話装置１は、中継局１０と無線信号により接続されている。そして、保育園１１には監視カメラ１２が設けられている。監視カメラ１２は、ネットワークの一例であるインターネット１３とＬＡＮ（Local Area Network）１４を介して接続され、撮像した映像を画像データとして、ＨＴＴＰ（HyperText Transfer Protocol）のパケットにて送信する機能を備えたネットワークカメラである。つまり、図１に示す携帯電話装置１は、制御部８が動作させたブラウザにて、監視カメラ１２を特定するＵＲＬ（Uniform Resource Locator）にアクセスすることで、監視カメラ１２からの画像データを無線部３を介して受信してウェブページとして表示することができる。従って、無線部３と制御部８とで、監視カメラからの監視映像を受信し、画像データとして出力する映像受信部として機能する。
【００５８】
監視カメラ１２は、本実施の形態２では直接ＬＡＮ１４と接続するインタフェースを備えているが、例えば、監視カメラ１２がＵＳＢ（Universal Serial Bus）を備えたウェブカメラであればパーソナルコンピュータとＵＳＢで接続し、パーソナルコンピュータがＬＡＮ１４に接続することで、監視カメラ１２からの映像をインターネット１３へ送信することが可能である。また、監視カメラ１２は、画像データをＨＴＴＰパケットにて送信しているが、携帯電話装置１側にて監視カメラ１２からの映像が表示可能なアプリケーションを予め備えていれば、独自の通信方式によるものでもよい。しかし、携帯電話装置１には、標準仕様としてインターネット１３にアクセスしてウェブページが表示可能なブラウザが設けられているため、監視カメラ１２としては、画像データをＨＴＴＰパケットにて送信する機能を備えたものが望ましい。
【００５９】
監視カメラ１２からＨＴＴＰのパケットにより送信された画像データは、ブラウザにより表示可能なデータとしてメモリ部５１に格納される。そして表示処理部５により表示部５２にウェブページとして表示される。
【００６０】
ここで、表示部５２にウェブページとして表示された画像データを拡大する操作について、図１２に基づいて説明する。図１２は、拡大表示の一例を示す図である。なお、図１２においては、監視カメラ１２からの映像のみを図示しており、ＵＲＬの表示、ツールバーの表示や、スクロールバーの表示などは省略している。
【００６１】
監視カメラ１２からの監視映像として、図１２に示すように保育園１１の教室内の様子が表示されているものとする。例えば、携帯電話装置１の利用者の子供（被監視者）ＣＨが４つのセグメント（セグメントＥ，Ｆ，Ｈ，Ｉ）内に位置するときには、操作者は、この４つのセグメントを拡大表示して子供ＣＨの表情などを観察して見たいものである。そこで、利用者は「５」キー９１５および「９」キー９１９を、第１の操作キーと第２の操作キーとして押下する。このときの順序はいずれでもよい。そして、利用者が最後に決定キー９３４を押下するか、第２の操作キーと同一の数字キー９１を押下することで、拡大処理部７は、表示処理部５に始点座標（８１，４６）、横幅１６０ドット、縦幅９０ドットを指定する。この指定により、上下左右４つの連続したセグメント（セグメントＥ，Ｆ，Ｈ，Ｉ）を拡大した画面となる。この場合、セグメントＥ，Ｆ，Ｈ，Ｉを合わせた範囲のアスペクト比は、１６：９となりテレビ映像の表示可能な範囲のアスペクト比と同じとなる。従って、監視カメラ１２からの映像が表示可能な範囲全体に拡大して表示される。
【００６２】
このように、保育園１１が遠隔にあっても携帯電話装置１を携帯していれば、保育園１１で元気に遊ぶ子供ＣＨの状態を、拡大して観察することができるので、監視カメラ１２が広角で人物像が大きく映し出されなくても、どの子であるか判別可能に表示部５２に表示させることで、買い物やパートなど安心して用事を済ませることができる。
【００６３】
本実施の形態２では、４つのセグメント（セグメントＥ，Ｆ，Ｈ，Ｉ）を拡大する操作のみを説明したが、拡大させる操作方法は実施の形態１と同様なので他の操作方法は省略する。
【００６４】
以上、本発明の実施の形態について説明してきたが、本発明は前記実施の形態に限定されるものではない。実施の形態１，２では、携帯電話装置１がテレビ映像や監視カメラ１２からの映像を拡大する例を説明したが、画像データは、ウエブサイトのウェブページそのもの表示データでもよいし、携帯電話装置同士で映像と通話とで会話するテレビ電話の映像データでもよい。また、文書や表計算などの表示部に表示する画像データでもよい。更に、カメラ付きドアホンの子機として電話機の子機と兼用したものが製品化され販売されているが、ドアホンの子機を本発明の携帯端末装置とすることも可能である。つまり、操作者が携帯端末装置の表示部に表示される画像データであればどのようなものでも適用は可能である。
【産業上の利用可能性】
【００６５】
本発明は、表示する画像を拡大させて表示可能なので、表示面積が小さい携帯端末装置に好適であり、特に携帯電話装置には最適である。
【図面の簡単な説明】
【００６６】
【図１】本発明の実施の形態に係る携帯電話装置を示す外観図である。
【図２】図１に示す携帯電話装置の構成を示す図である。
【図３】（Ａ）から（Ｄ）は、携帯電話装置を操作してテレビ放送を表示させる手順を示す図である。
【図４】表示部に表示されるテレビ映像の表示範囲を示す図である。
【図５】テレビ映像の表示範囲をセグメントに区分した状態を示す図である。
【図６】携帯電話装置の動作を示すフローチャートである。
【図７】携帯電話装置の動作を示すフローチャートである。
【図８】拡大処理部が表示処理部に対して指定する始点座標、横幅、縦幅を示すテーブルの図である。
【図９】拡大表示の一例を示す図である。
【図１０】拡大表示の一例を示す図である。
【図１１】本発明の実施の形態２に係る携帯電話装置を用いて監視カメラからの映像を受信する構成を説明するための図である。
【図１２】拡大表示の一例を示す図である。
【符号の説明】
【００６７】
１  携帯電話装置
２  テレビチューナ部
２１  テレビ受像用アンテナ
３  無線部
３１  通信用アンテナ
４  音声処理部
４１  マイク部
４２  スピーカ部
５  表示処理部
５１  メモリ部
５２  表示部
６  キー処理部
７  拡大処理部
８  制御部
９  操作キー
９１  数字キー
９１０〜９１９  「０」キー〜「９」キー
９２  記号キー
９２０  「＊」キー
９２１  「＃」キー
９３  機能キー
９３０  クリアキー
９３１  オフフックキー
９３２  オンフックキー
９３３  十字キー
９３４  決定キー
１０  中継局
１１  保育園
１２  監視カメラ
１３  インターネット
１４  ＬＡＮ
ＣＨ  子供
【図１】
2008033899.tif 000003
【図２】
2008033899.tif 000004
【図３】
2008033899.tif 000005
【図４】
2008033899.tif 000006
【図５】
2008033899.tif 000007
【図６】
2008033899.tif 000008
【図７】
2008033899.tif 000009
【図８】
2008033899.tif 000010
【図９】
2008033899.tif 000011
【図１０】
2008033899.tif 000012
【図１１】
2008033899.tif 000013
【図１２】
2008033899.tif 000014